(57)【要約】【課題】仮設の路面標示に好適に用いられ、その撤去が容易に行え、その後の正式の路面標示に不都合を来すことのない路面標示用シートを得ることにある。【解決手段】合成樹脂発泡シートからなる基材１の表面に無数のガラスビーズ３を固着してガラスビーズ層２を設け、基材１の裏面に粘着層４を設けた路面標示用シート。上記合成樹脂発泡シートには、発泡ポリスチレンまたは発泡ポリウレタンを用いることが撤去を容易にできて好適である。また、テープ状とすることもでき、さらには所望の平面形状のシートに裁断して使用してもよい。【選択図】図１
2005023706.tif 000002
【特許請求の範囲】
【請求項１】
舗装道路の路面標示に用いられる路面標示用シートであって、合成樹脂発泡シートの表面に無数のガラスビーズを固着してガラスビーズ層を設け、裏面に粘着層を設けたことを特徴とする路面標示用シート。
【請求項２】
合成樹脂発泡シートが発泡ポリスチレンまたは発泡ポリウレタンからなるものであることを特徴とする請求項１記載の路面標示用シート。
【請求項３】
テープ状とされたことを特徴とする請求項１または２記載の路面標示用シート。
【発明の詳細な説明】
【０００１】
【発明の属する技術分野】
この発明は、舗装道路の横断歩道、停止線、車線などの路面標示に用いられる路面標示用シートに関し、特にトラフィック塗料による正式の路面標示の施工前に仮設的に使用されるものに関する。
【０００２】
【従来の技術】
アスファルト舗装道路には、横断歩道、停止線、車線などの路面標示が施工されることが多い。このような路面標示は、ロジン、石油樹脂などの熱可塑性樹脂、着色剤、骨材などを含む白色などの着色トラフィック塗料を使用し、専用の施工装置により、トラフィック塗料を加熱、溶融して、路面の所定の位置に塗布することによって行われている。
【０００３】
ところで、アスファルト舗装後、ただちにトラフィック塗料を用いた正式の路面標示を施工することができないことがある。これは、アスファルト舗装施工業者と路面標示施工業者とが異なり、両者の施工スケジュールをうまく合致させることができないなどの理由によるものである。
このため、アスファルト舗装完了後から正式の路面標示を施工するまでの期間に、仮設の路面標示を行う必要がある。
【０００４】
従来、この仮設の路面標示には、白色、黄色等に着色された布粘着テープや、紙粘着テープあるいはアルミニウム箔を用いた粘着テープが用いられ、これを舗装面に貼着することによって行われている。そして、正式の路面標示を施工する際に、貼着されている粘着テープを路面から剥ぎ取って撤去してから、トラフィック塗料を用いた正式の路面標示を施工するようにしている。
【０００５】
しかしながら、仮設用の上記粘着テープを路面から剥ぎ取る際に、粘着テープが舗装面の凹凸部分に食い込み、完全に剥ぎ取ることが極めて困難であり、その一部が路面に残ることがあった。特に、ガムテープ、紙粘着テープでは、路面に対する接着力が非常に強く、これを剥ぎ取るために長時間を必要とし、その撤去に多大の問題があった。
また、舗装面にこのような粘着テープが部分的に残っていると、トラフィック塗料を用いた正式な路面標示を施工した後に、塗装面が部分的に剥離する不都合もある。
出願人は、仮設用の路面標示シートに関する先行技術文献情報を知らず、上述のように仮設用路面標示シートの実際の施工現場での実施状況を知るのみである。
【０００６】
【発明が解決しようとする課題】
よって、本発明における課題は、仮設の路面標示に好適に用いられ、その撤去が容易に行え、その後の正式の路面標示に不都合を来すことのない路面標示用シートを得ることにある。
【０００７】
【課題を解決するための手段】
かかる課題を解決するため、
請求項１にかかる発明は、舗装道路の路面標示に用いられる路面標示用シートであって、合成樹脂発泡シートの表面に無数のガラスビーズを固着してガラスビーズ層を設け、裏面に粘着層を設けたことを特徴とする路面標示用シートである。
【０００８】
請求項２にかかる発明は、合成樹脂発泡シートが発泡ポリスチレンまたは発泡ポリウレタンからなるものであることを特徴とする請求項１記載の路面標示用シートである。
請求項３にかかる発明は、テープ状とされたことを特徴とする請求項１または２記載の路面標示用シートである。
【０００９】
【発明の実施の形態】
以下、本発明を詳しく説明する。
図１は、この発明の路面標示用シートの一例を模式的に示すもので、図中符号１は、基材を示す。この基材１は、合成樹脂発泡体からなる厚さ２〜１０ｍｍ程度の白色の発泡シートであって、この例では長尺のテープ状となっている。
【００１０】
上記合成樹脂発泡体としては、発泡ポリスチレン、発泡ポリウレタン、発泡ポリ塩化ビニル、発泡ポリエチレン、発泡ポリプロピレンなどが用いられるが、なかでも軟質の発泡倍率が３〜５倍の発泡ポリスチレン、発泡ポリウレタンが、特に上述の撤去が容易である点で好ましい。
【００１１】
この基材１の一方の面には、ガラスビーズ層２が一体に設けられている。このガラスビーズ層２は、平均粒径０．５〜２ｍｍ程度の球状のガラスビーズと、ポリマーエマルジョンなどのバインダなどを含むスラリーを基材１に塗布し、加熱して基材１に固着して形成した厚さ１〜３ｍｍ程度のものである。このガラスビーズ層２の表面には、無数のガラスビーズ３の存在によって、微細な凹凸が形成されている。黄色などに着色した路面標示用シートを得るには、上記スラリーに着色剤を添加すればよい。
【００１２】
また、基材１の他方の面には、粘着層４が一体に設けられている。この粘着層４は、ポリイソブチレン、天然ゴム、アクリル樹脂などの主剤と、ロジン、クマロン樹脂などの粘着性付与剤と、フタル酸エステル、ヒマシ油などの可塑剤を含む通常の粘着剤を基材１に塗布して形成されたもので、その厚さが０．２〜１ｍｍ程度となっている。なお、必要に応じて、粘着層４上に離型紙を設けて、取扱性を高めることもできる。
【００１３】
そして、この例の路面標示用シートは、その幅が５〜３０ｃｍ程度、厚さが３〜１０ｍｍ程度、長さが３〜１００ｍ程度とされ、通常はロール状に巻回された状態となっているが、この形態に限定されるものではなく、路面標示のための平面寸法に裁断されたシート状のものでもよい。また、「文」などの文字、「４０」など数字などの平面形状に裁断したものでもよい。
【００１４】
このような路面標示用シートの製造は、基材１となる長尺、広幅の合成樹脂発泡体シートを用意し、このシートの表面にガラスビーズとバインダを含むスラリーを塗布し、加熱してガラスビーズ層２を設け、シートの裏面に粘着剤を塗布して粘着層４を形成し、これをスリッターにより所望の幅に裁断して巻き取ることによって行われる。また、これを所望の平面形状に裁断することもできる。
【００１５】
このような路面表示用シートの施工方法は、舗装後の道路表面の所定の位置にこれを貼着し、軽く転圧することで行われ、極めて簡単である。
また、正式の路面標示を施工する時には、路面に貼着されている路面標示用シートを撤去する必要がある。この撤去には、使用済みの路面標示用シートにプロパンバーナーなどの火炎を吹き付け、これを焼却するか、あるいはシンナーなどの有機溶剤を散布して、これを溶解して除去する方法が採用される。
【００１６】
この発明の路面標示用シートでは、基材１が合成樹脂発泡体からなるので、火炎によって極めて簡単に燃焼し、基材１の燃焼時に粘着層４、ガラスビーズ層２のバインダも同時に燃焼し、ガラスビーズのみが路面に燃焼かすとして残り、これは次に施工されるトラフィック塗料による正式の路面標示の施工に利用できる。
【００１７】
また、有機溶剤を散布して撤去する場合に、基材１として発泡ポリスチレンを用いた路面標示用シートでは、基材１、粘着層４およびガラスビーズ層２のバインダが極めて簡単に溶解し、ガラスビーズを残すのみとなる。このため、撤去後の舗装面を傷めることもない。
さらに、火炎、有機溶剤による撤去では、使用済みの路面標示用シートの撤去のみならず、舗装面の活性化が同時に行われることになり、正式の路面標示施工の際の予備加熱などの前処理を省略または簡単に済ますことができる。
【００１８】
また、本発明の路面標示用シートでは、表面にガラスビーズ層２が設けられているので、光線が再帰反射し、夜間ならびに昼間の視認性が高いものとなる。また、表面の凹凸によって良好な滑り止め効果が得られ、硬いガラスビーズが分散されて埋め込まれているので、耐摩耗性の高いものとなり、仮設とは言え、十分な耐久性を持つものとなる。このため、イベント等の会場では、正式の路面標示に代わることも可能であり、かつ撤去も簡単である。
【００１９】
（実施例）
基材１として、厚さ３ｍｍの白色の発泡ポリスチレンシート（発泡倍率３倍）を用い、これの表面に対して、粒径１〜１．５ｍｍのガラスビーズとエチレン・酢酸ビニルエマルジョンを含むスラリーを塗布し、加熱して、厚さ１．６〜２ｍｍのガラスビーズ層２を設けた。さらに、発泡ポリスチレンシートの裏面に天然ゴム系粘着剤を塗布して厚さ０．５ｍｍの粘着層を設け、これを裁断して幅１５ｃｍのテープ状の路面標示用シートを作製した。
【００２０】
この路面標示用シートを、舗装直後のアスファルト舗装面に横断歩道用標示として貼着した。
１ヶ月間、歩行者、車両等の通行を経たのち、肉眼で観察したところ、この路面標示用シートの表面の劣化はほとんどなかった。
ついで、この路面標示用シートにプロパンバーナーの火炎を吹き付けたところ、簡単に燃焼し、ほとんど痕跡を残さずに撤去できた。また、舗装面に傷は付いていなかった。
【００２１】
【発明の効果】
以上説明したように、この発明の路面標示用シートにあっては、特に仮設の路面標示に好適に使用でき、舗装面からの撤去が簡単に行え、しかも舗装面にその痕跡を残すことなく、その後の正式のトラフィック塗料による路面標示に不都合を来すことがない。また、耐久性が良いので、１ないし２ヶ月の仮設用として極めて好ましいものとなる。
【図面の簡単な説明】
【図１】本発明の路面標示用シートの一例を模式的に示す一部断面視した斜視図である。
【符号の説明】
１・・・基材、２・・・ガラスビーズ層、４・・・粘着層
【図１】
2005023706.tif 000003